(57)【特許請求の範囲】
【請求項１】
前面に開口部を有する食器洗浄機本体と、
前記食器洗浄機本体に収納され、前記開口部を通過し、前後方向にスライド移動可能に支持されている洗浄槽と、
前記洗浄槽を自動的に前後方向にスライド移動させる開装置と、
前記洗浄槽が前記食器洗浄機本体に収納されている状態において前記洗浄槽と前記食器洗浄機本体とをロックすることで前記洗浄槽の引き出し方向への移動を規制するラッチ装置と、
前記洗浄槽の前面に設けられたパネルとを備え、
前記ラッチ装置は、
前記洗浄槽に外部から引き出し方向に向けて所定の力が加えられることで前記洗浄槽と前記食器洗浄機本体とのロックを解除し、
前記パネルを上下に分割された上部パネルと下部パネルとで構成し、
前記上部パネルと前記下部パネルの一方には操作部が設けられ、他方の側面には前記洗浄槽に所定の力を加えることができる引き出し手係り部が設けられた
ことを特徴とする食器洗浄機。
【請求項２】
前記引き出し手係り部は、
前記パネルの側面の一部に凹部を設けて形成されている
ことを特徴とする請求項１に記載の食器洗浄機。
【請求項３】
前記引き出し手係り部は、
前記パネルの側面の一部に凸部を設けて形成されている
ことを特徴とする請求項１に記載の食器洗浄機。
【請求項４】
前記引き出し手係り部は、
前記パネルの側面の一部に折りたたみ可能に形成されている
ことを特徴とする請求項１に記載の食器洗浄機。
【請求項５】
前面に開口部を有する食器洗浄機本体と、
前記食器洗浄機本体に収納され、前記開口部を通過し、前後方向にスライド移動可能に支持されている洗浄槽と、
前記洗浄槽を自動的に前後方向にスライド移動させる開装置と、
前記洗浄槽が前記食器洗浄機本体に収納されている状態において前記洗浄槽と前記食器洗浄機本体とをロックすることで前記洗浄槽の引き出し方向への移動を規制するラッチ装置と、
前記洗浄槽の前面に設けられ、排気孔が形成されたパネルとを備え、
前記ラッチ装置は、
前記洗浄槽に外部から引き出し方向に向けて所定の力が加えられることで前記洗浄槽と前記食器洗浄機本体とのロックを解除し、
前記排気孔の形成された部分に、前記洗浄槽に所定の力を加えることができる引き出し手係り部を設けた
ことを特徴とする食器洗浄機。
【請求項６】
前記引き出し手係り部を着脱自在とした
ことを特徴とする請求項５に記載の食器洗浄機。
【請求項７】
前面に開口部を有する食器洗浄機本体と、
前記食器洗浄機本体に収納され、前記開口部を通過し、前後方向にスライド移動可能に支持されている洗浄槽と、
前記洗浄槽を自動的に前後方向にスライド移動させる開装置と、
前記洗浄槽が前記食器洗浄機本体に収納されている状態において前記洗浄槽と前記食器洗浄機本体とをロックすることで前記洗浄槽の引き出し方向への移動を規制するラッチ装置と、
前記洗浄槽の前面に設けられたパネルとを備え、
前記ラッチ装置は、
前記洗浄槽に外部から引き出し方向に向けて所定の力が加えられることで前記洗浄槽と前記食器洗浄機本体とのロックを解除し、
前記パネルの前面に、前記洗浄槽に所定の力を加えることができる引き出し手係り部を前記パネルの前面に埋入可能に設け、
埋入された前記引き出し手掛り部は、回動させることで前記食器洗浄機本体の前方側に突出する
ことを特徴とする食器洗浄機。
【請求項８】
前記ラッチ装置により前記洗浄槽と前記食器洗浄機本体とがロックされており、前記開装置が前記洗浄槽を自動的にスライド移動できない状態において、
前記ラッチ装置は、
前記洗浄槽に外部から引き出し方向に向けて所定の力が加えられることで前記洗浄槽と前記食器洗浄機本体とのロックを解除し、前記洗浄槽を引き出し可能にする
ことを特徴とする請求項１〜７のいずれかに記載の食器洗浄機。
【発明の詳細な説明】
【技術分野】
【０００１】
本発明は、洗浄槽内に収納された食器等の被洗浄物を洗浄する食器洗浄機に関し、特に洗浄槽を食器洗浄機本体の前方（正面）側に引き出す構成の食器洗浄機に関するものである。
【背景技術】
【０００２】
一般的に、システムキッチンに組み込まれるようなビルトインタイプの食器洗浄機は、流し台や調理台の下部、あるいはキッチンの壁面に収納されて洗浄槽が水平方向に引き出されるようになっている。このような食器洗浄機は、洗浄ポンプや排水ポンプ、乾燥送風機、ヒータ、給水弁、制御装置等が洗浄槽と一体的に搭載されることが多い。そのため、引き出される部分の重量が大きくなる。また、実使用時には洗浄槽内に食器等が収納されるため、重量が更に増大する。このため、洗浄槽の引き出し操作及び押し込み操作に大きな力を要し、使い勝手が悪いという問題があった。
【０００３】
そのような問題を解決するために、洗浄槽の引き出し操作及び押し込み操作を自動的に行なえるようにした技術が提案されている。そのようなものとして、「食器を収納し上方を開口した洗浄槽と、前記洗浄槽を保持する食器洗浄機本体と、前記洗浄槽内に設けた洗浄手段と、前記洗浄槽を前方に引き出し可能とするスライドレールと、前記洗浄槽を前後方向に動かすモータ等の駆動装置とを備え、前記駆動装置により、前記洗浄槽を自動的に引き出したり、押し込むように構成した食器洗浄機」が開示されている（たとえば、特許文献１参照）。
【０００４】
また、洗浄槽を所定の位置で閉成保持するロック機構を設けた食器洗浄機が提案されている。そのようなものとして、「洗浄機本体と、洗浄槽と、ロック機構とを備えた引き出し式食器洗浄機であり、洗浄機本体は、少なくとも前面が開放された箱状であり、洗浄槽は、洗浄機本体内に収納された収納位置から引き出し可能であり、ロック機構は、洗浄槽に形成された係合受け部材と、洗浄機本体に対して可動に装着された係合部材と、この係合部材に係止する係止部材と、この係止部材を係止位置に駆動する駆動手段とから構成され、前記係合部材は、収納位置に収納された前記洗浄槽の前記係合受け部材に係合し、前記係止部材は、前記駆動手段に駆動されて前記係合受け部材に係合した前記係合部材に係止する引き出し式食器洗浄機」が開示されている（たとえば、特許文献２参照）。
【０００５】
【特許文献１】特開２００２−３４５７１２号公報（第４頁、第１−３図）
【特許文献２】特開２００２−１９１５３８号公報（第５頁、第２図）
【発明の開示】
【発明が解決しようとする課題】
【０００６】
特許文献１に記載の食器洗浄機では、洗浄槽の引き出し操作及び押し込み操作を自動的に実行できるので、ユーザ負担が減少し、使い勝手が向上することになる。また、特許文献２に記載の食器洗浄機では、ロック機構を作動させ、洗浄運転中に洗浄槽を引き出せないので、洗浄運転が確実に実行できることになる。これらの食器洗浄機を組み合わせれば、使い勝手の向上及び確実な洗浄運転の実行が可能な食器洗浄機を提供できる。しかしながら、急な停電や故障等の異常が発生し、食器洗浄機への通電が遮断される場合に、洗浄槽を自動で引き出せなくなるばかりか、洗浄槽のロック機構が解除できず、洗浄槽を手動でも引き出せないという問題があった。
【０００７】
これでは、異常の発生の有無に関わらず洗浄槽を手動で引き出したいというユーザの要求に応えることができない。そこで、洗浄槽が自動的に引き出せないような場合においても、ユーザの要求に応えるために、ユーザが手動で洗浄槽をスムーズに引き出せるようにしておくことが望ましい。つまり、上述したように、洗浄槽には洗浄ポンプや排水ポンプ、乾燥送風機、ヒータ、給水弁、制御装置等が一体的に搭載されることが多く、それらに加えて被洗浄物の重さが加わるため、洗浄槽を引き出す際に非常に大きな力を要することになるが、異常が発生した場合でも、ユーザ負担を大きくすることなく洗浄槽を引き出せるようにしておくことが望ましいのである。
【０００８】
また、最近の傾向として、食器洗浄機の意匠性（デザイン性）の向上が要求されている。特に、食器洗浄機が組み込まれるようになっているシステムキッチン等では、その意匠性の良し悪しが売り上げに大きな影響を与えることがある。このような理由から、洗浄槽の引き出し操作及び押し込み操作を自動的に行なえる食器洗浄機では、前面に取っ手等を設けないようにしていることが多い。そうすると、洗浄槽を手動で引き出したくても引き出せないということになり、ユーザの要求に応えることができないという問題も生じることになる。
【０００９】
本発明は、上記のような問題を解決するためになされたもので、洗浄槽の引き出し作業力低減を実現し、引き出し作業性を向上し、更に電気が遮断される等の異常事態発生時においても洗浄槽を容易に引き出すことができる食器洗浄機を提供することを目的としている。
【課題を解決するための手段】
【００１０】
本発明に係る食器洗浄機は、前面に開口部を有する食器洗浄機本体と、前記食器洗浄機本体に収納され、前記開口部を通過し、前後方向にスライド移動可能に支持されている洗浄槽と、前記洗浄槽を自動的に前後方向にスライド移動させる開装置と、前記洗浄槽が前記食器洗浄機本体に収納されている状態において前記洗浄槽と前記食器洗浄機本体とをロックすることで前記洗浄槽の引き出し方向への移動を規制するラッチ装置と、前記洗浄槽の前面に設けられたパネルとを備え、前記ラッチ装置は、前記洗浄槽に外部から引き出し方向に向けて所定の力が加えられることで前記洗浄槽と前記食器洗浄機本体とのロックを解除し、前記パネルを上下に分割された上部パネルと下部パネルとで構成し、前記上部パネルと前記下部パネルの一方には操作部が設けられ、他方の側面には前記洗浄槽に所定の力を加えることができる引き出し手係り部が設けられたことを特徴とする。
【発明の効果】
【００１１】
本発明に係る食器洗浄機によれば、洗浄槽が自動でスライド移動できないような異常が発生している場合でも、洗浄槽に外部から引き出し方向に向けて所定の力を加えるだけで洗浄槽と食器洗浄機本体とのロック状態が解除でき、特別な器具等を使用することなく容易に洗浄槽を手動にて引き出すことができる。
【発明を実施するための最良の形態】
【００１２】
以下、本発明の実施の形態を図面に基づいて説明する。
実施の形態１．
図１は、本発明の実施の形態１に係る食器洗浄機１００の断面構成を示す概略縦断面図である。図２は、食器洗浄機１００を正面から見た状態を示す正面図である。図１及び図２に基づいて、食器洗浄機１００の全体構成について説明する。なお、図１を含め、以下の図面では各構成部材の大きさの関係が実際のものとは異なる場合がある。この食器洗浄機１００は、家庭等のキッチンに設置され、洗浄槽２を食器洗浄機本体１の前方側に引き出す構成になっている。なお、図１では、洗浄槽２が食器洗浄機本体１に収納されている状態を示している。
【００１３】
図１に示すように、食器洗浄機１００は、食器洗浄機１００の外殻を構成する食器洗浄機本体１と、食事等で使用された食器やコップ等の被洗浄物３を収容し、被洗浄物３の洗浄が行なわれる洗浄槽２と、洗浄槽２の引き出し方向（前方側）への移動を規制し、閉成保持するラッチ装置６と、洗浄槽２を自動的に前後方向にスライドさせる開装置２０と、洗浄槽２内の洗浄水を加熱するヒータ７と、洗浄水を循環させる洗浄ポンプ８と、洗浄水を噴射する洗浄ノズル９と、被洗浄物３を乾燥させるための乾燥手段である排気装置１８と、洗浄槽２に洗浄水となる水道水等を供給する給水弁１０と、洗浄水を、排水管５１を介して排水口５２から排出させる排水ポンプ１１と、食器洗浄機１００の全体を統括制御する制御装置２３とを少なくとも備えている。
【００１４】
食器洗浄機本体１は、前面に開口部が有し、箱状に形成されている。洗浄槽２は、食器洗浄機本体１に収納され、上方が開口形成されており、食器洗浄機本体１の開口部を通過し、前後方向にスライド移動可能に支持されている。つまり、洗浄槽２は、食器洗浄機本体１と洗浄槽２に設けたレール５により、前方側に引き出せて、後方側に押し込めるようになっている。この洗浄槽２には、被洗浄物３を載置する食器かご４が設けられている。また、洗浄槽２の上面には、内蓋１２が食器洗浄機本体１に固定されて設けられている。この内蓋１２は、食器洗浄機本体１の内部にあり、洗浄槽２が食器洗浄機本体１内に収納されたときに洗浄槽２の上方の開口部を閉塞するようになっている。
【００１５】
さらに、洗浄槽２の下部は、洗浄ポンプ８や排水ポンプ１１等が露出してしまうため、これらを隠蔽するための下カバー１９が洗浄槽２等に固定され、引き出し時に洗浄槽２とともに引き出される構成になっている。なお、図２に詳しく示すように、洗浄槽２の前面には上下に分割された化粧パネル（下部パネル）１３及び操作パネル（上部パネル）１４が設けられている。また、操作パネル１４には、操作部１５が設けられている。ここでは、化粧パネル１３と操作パネル１４とが上下に分割されている場合を例に示しているが、化粧パネル１３と操作パネル１４とを一つのパネルとしてもよい。
【００１６】
この操作部１５には、ユーザ（一般使用者や、保守員、作業員等を含む）からの指示を受け付けるための各種スイッチが設けられている。図２では、洗浄槽２を自動的に前方側にスライドさせるＯＰＥＮスイッチ２１と、食器洗浄機１００の運転をスタートさせたり、一時停止させたりするスタート／一時停止スイッチ２２と、食器洗浄機１００への電源供給をＯＮ／ＯＦＦする電源スイッチ３５とが操作部１５に設けられている場合を例に示している。なお、運転状況や温度・時間の設定内容等の各種情報を表示する表示部を併せて設けるようにしてもよい。
【００１７】
ラッチ装置６は、食器洗浄機本体１の内部後方側で洗浄槽２の外側に設けられており、洗浄槽２を食器洗浄機本体１内の閉位置までスライドさせた時、つまり洗浄槽２が食器洗浄機本体１に収納された時、洗浄槽２と食器洗浄機本体１とを係止することで洗浄槽２と食器洗浄機本体１とをロックするようになっている。このラッチ装置６は、ばね６ａのばね力にて洗浄槽２を所定位置に係止しているが、ソレノイド等を用いた電気的施錠装置やマグネット等の磁力を用いた施錠装置でも同様の機能を持たせることができる。ただし、ソレノイド等を用いた電気的施錠装置の場合は、たとえば通電時が施錠状態で無通電時が開錠状態である等の無通電の状態では開錠されている仕組みが必要である。この図１では、ラッチ装置６により洗浄槽２がロックされている状態を示している。
【００１８】
開装置２０は、食器洗浄機本体１の内部後方側で洗浄槽２の外側に設けられており、外部（制御装置２３）からの信号を受けて、洗浄槽２を自動的に前方側及び後方側にスライドさせるようになっている。ヒータ７は、洗浄槽２内に設けられており、洗浄槽２を循環する洗浄水を加熱するものである。洗浄ポンプ８は、洗浄槽２の底部外側に設けられており、洗浄ノズル９から洗浄水を噴射させることで洗浄槽２内において洗浄水を循環させるものである。洗浄ノズル９は、洗浄槽２の底面に回転自在に配設され、洗浄ポンプ８によって洗浄槽２内において洗浄水を噴射するものである。
【００１９】
排気装置１８は、食器洗浄機本体１の後方側で洗浄槽２の外側に設けられ、被洗浄物３を乾燥させるための空気を循環させるようになっており、乾燥による排気は操作パネル１４に形成されている排気孔１７を経て戸外へ放出される。給水弁１０は、食器洗浄機本体１の後方側で洗浄槽２の外側に設けられており、洗浄水となる水道水等を洗浄槽２内部に供給するようになっている。排水ポンプ１１は、洗浄槽２の底部外側に設けられており、洗浄に使用された洗浄水を排水するものである。制御装置２３は、化粧パネル１３と洗浄槽２との間に設けられており、操作部１５からのユーザ指示により洗浄ポンプ８や排水ポンプ１１、ヒータ７、開装置２０、排気装置１８等を制御するようになっている。この制御装置２３は、マイクロコンピュータ等で構成するとよい。
【００２０】
図３は、洗浄槽２が食器洗浄機本体１から引き出された状態の断面構成を示す概略縦断面図である。図４は、開装置２０を説明するための説明図である。図１〜図４に基づいて、開装置２０の構成及び動作について説明する。また、図４（ａ）が開装置２０を上から見た状態の一例を示す平面図を、図４（ｂ）が開装置２０のスライドシャフト２４が前方側に移動した状態を示す縦断面図を、図４（ｃ）が開装置２０のスライドシャフト２４が後方側に移動した状態を示す縦断面図をそれぞれ示している。なお、開装置２０がラックアンドピニオンを利用した伝達動力手段である場合を例に示しているが、カム機構やリニア機構用いるアクチエーター等においても同様の動作が可能である。
【００２１】
図３に示すように、食器洗浄機１００は、洗浄ポンプ８や、排水ポンプ１１、排気装置１８、ヒータ７、給水弁１０、制御装置２３等の部品が洗浄槽２と一体的に引き出される構成となっている。開装置２０は、本体部５５と、本体部５５内部に挿抜するスライドシャフト２４と、スライドシャフト２４を駆動するモータ２６と、モータ２６の駆動力をスライドシャフト２４にギア伝達するピニオン部２６ａとで構成されている。また、本体部５５には、スライドシャフト２４の両端を保持する保持部２７と、スライドシャフト２４の飛び出し位置を検出する飛び出し位置検出装置２５と、スライドシャフト２４のスタンバイ位置を検出するスタンバイ位置検出装置２８とが設けられている。
【００２２】
スライドシャフト２４の上面にはラック部２４ａが形成されており、このラック部２４ａがピニオン部２６ａと噛み合うことで、モータ２６からの駆動力がスライドシャフト２４にギア伝達される。すなわち、スライドシャフト２４は、モータ２６に連結されたピニオン部２６ａを介してモータ２６からの回転駆動がラック部２４ａにギア伝達され、前後方側に駆動可能になっている。この開装置２０は、制御装置２３の指令を受けて動作する。つまり、制御装置２３は、ユーザにより操作部１５に設けられているＯＰＥＮスイッチ２１が操作されると、開装置２０に信号を送り、モータ２６を回転させるのである。
【００２３】
そして、モータ２６が回転し、洗浄槽２を前方側にスライド移動させるとき、モータ２６の駆動力によって洗浄槽２と食器洗浄機本体１とのロック状態が解除され、洗浄槽２が前方側にスライド移動するようになっている。すなわち、ラッチ装置６は、洗浄槽２と食器洗浄機本体１とを係止することで、洗浄槽２の引き出し方向への移動を規制しているが、開装置２０により洗浄槽２に引き出し方向に向けて所定の力が加えられると洗浄槽２と食器洗浄機本体１とのロック状態を解除するようになっているのである。
【００２４】
スライドシャフト２４が駆動している間、このスライドシャフト２４は、本体部５５に設けられている保持部２７で両端が保持された状態でスライド動作するようになっている。これにより、スライドシャフト２４が飛び出し位置検出装置２５の位置までスライドすることで、洗浄槽２を所定量引き出し可能になっている（図３（ｂ））。スライドシャフト２４が飛び出し位置検出装置２５の位置まで移動すると、その情報が飛び出し位置検出装置２５から制御装置２３に送られる。そして、制御装置２３は、モータ２６の駆動を停止させ、洗浄槽２のスライドを停止する。
【００２５】
ユーザにより、ＯＰＥＮスイッチ２１が再度操作されると、食器洗浄機１００は、洗浄槽２を食器洗浄機本体１内に収納する。つまり、ＯＰＥＮスイッチ２１が再度操作されると、その情報を受け取った制御装置２３が開装置２０を動作させ、洗浄槽２を食器洗浄機本体１内に収納するのである。そして、ラッチ装置６によって、洗浄槽２が食器洗浄機本体１に係止される。つまり、モータ２６が逆回転駆動し、スライドシャフト２４が後方側に駆動することによって、洗浄槽２が食器洗浄機本体１に収納されるように後方側にスライド移動するのである。
【００２６】
スライドシャフト２４は、保持部２７で両端が保持された状態でスライド動作するようになっており、スライドシャフト２４がスタンバイ位置検出装置２８の位置までスライドすることで、洗浄槽２が食器洗浄機本体１に収納可能になっている（図３（ｃ））。このように、モータ２６の逆回転動作により、スライドシャフト２４を引き出し方向とは反対方向にスライドさせることができるようになっている。スライドシャフト２４がスタンバイ位置検出装置２８の位置まで移動すると、その情報がスタンバイ位置検出装置２８から制御装置２３に送られる。そして、制御装置２３は、モータ２６の駆動を停止させ、洗浄槽２のスライドを停止し、次回の動作に備えるようになっている。
【００２７】
図５は、食器洗浄機１００の設置状態の一例を示すシステムキッチン１５０の斜視図である。以上のように構成されている食器洗浄機１００は、図５に例示するシステムキッチン１５０の一部に組み込まれて利用することができる。一般的に、食器洗浄機１００の左方、右方または下方のいずれかには引き出し２９や調理器具３０、ドア３４等が設けられており、これらを引き出したり、一時的に撤去したりすることで食器洗浄機１００の左方、右方または下方のいずれかが開放された状態、すなわちユーザの手を入れるスペースが確保された状態にできる。
【００２８】
そして、ユーザは、食器洗浄機１００の左方、右方または下方のいずれかに形成されるスペースに手を入れ、洗浄槽２を引き出すことが可能になる。しかしながら、食器洗浄機１００は、開装置２０により自動で洗浄槽２をスライド移動させるようになっているために、洗浄槽２を手動で引き出そうとすると、洗浄槽２に大きな負荷がかかり、引き出し作業に大きな労力を要することになる。また、急な停電や故障等の異常が発生し、食器洗浄機１００への通電が遮断される場合や開装置２０が正常に動作できなくなった場合に、洗浄槽２を自動でスライド移動させることができず、洗浄槽２と食器洗浄機本体１とのロック状態が解除できない。このような状態では、大きな労力を持ってしても洗浄槽２を引き出せないことになる。
【００２９】
そこで、食器洗浄機１００は、ラッチ装置６を構成するばね６ａのばね力以上の力（所定の力）を洗浄槽２の引き出し方向に加えることで、洗浄槽２と食器洗浄機本体１とのロック状態を解除できるようにしている。つまり、開装置２０の代わりとしてユーザの手等の手段により、洗浄槽２に引き出し方向に向けて所定の力が加えられることで、洗浄槽２と食器洗浄機本体１とのロック状態が解除されるのである。開装置２０が正常に動作できないような場合に備えて、モータ２６を自由に回転できるようにしておくことが望ましい。
【００３０】
図６は、実施の形態１に係る引き出し手係り部の一例を示す全体斜視図である。図６に基づいて、引き出し手係り部の一例である手係り凹部１４ａについて説明する。図６に示すように、食器洗浄機１００には、引き出し手係り部である手係り凹部１４ａが操作パネル１４の側面に形成されている。この手係り凹部１４ａは、操作パネル１４の側面を構成する壁面の一部に凹部を設けることで形成されている。このような手係り凹部１４ａを食器洗浄機１００に設けることで、洗浄槽２を引き出し易くしているのである。なお、手係り凹部１４ａは、操作パネル１４の少なくとも１つの側面（上面及び下面も含むものとする）に形成してあればよく、設置数を特に限定するものではない。
【００３１】
洗浄運転中または運転終了時に被洗浄物３の出し入れを行う場合、ユーザは、操作部１５に設けられているスタート／一時停止スイッチ２２を操作し、操作部１５に設けられているＯＰＥＮスイッチ２１を操作する。そうすると、制御装置２３から開装置２０に信号が送られ、洗浄槽２がスライドシャフト２４の動作により自動的に前方側にスライド移動することになる。このときも、洗浄槽２と食器洗浄機本体１とを係止するラッチ装置６は、ロックを解除した状態になり、洗浄槽２が自由にユーザの手動で引き出せる状態になる。
【００３２】
すなわち、洗浄槽２を前方側に引き出し、被洗浄物３をセットしたい場合は、ユーザは、まずＯＰＥＮスイッチ２１を操作する。そうすると、制御装置２３から開装置２０に信号が送られ、洗浄槽２がスライドシャフト２４の動作により自動的に前方側にスライド移動される。このとき、洗浄槽２と食器洗浄機本体１とを係止するラッチ装置６は、洗浄槽２と食器洗浄機本体１とのロック状態を解除することになるため、洗浄槽２はレール５のストローク範囲内で自由に引き出すことが可能になる。
【００３３】
洗浄槽２が引き出されると、洗浄槽２の上方開口部が開放された状態になり、被洗浄物３を食器かご４に配置することができる。そして、洗浄槽２が食器洗浄機本体１内に収納されると、内蓋１２で洗浄槽２の上方の開口部が閉塞される。このとき、洗浄槽２と食器洗浄機本体１とを係止するラッチ装置６は、ばね６ａにて再びロックされた状態になる。ここで、スタート／一時停止スイッチ２２を押すと運転が開始され、制御装置２３により、ヒータ７や、洗浄ポンプ８、給水弁１０、排水ポンプ１１、排気装置１８等の運転が制御され、被洗浄物３の洗浄やすすぎ、乾燥等を実行する。
【００３４】
ところが、急な停電や故障等の異常が発生し、食器洗浄機１００への通電が遮断されたり、開装置２０が正常に動作できなくなったりした場合には、ＯＰＥＮスイッチ２１を操作しても、自動的に洗浄槽２がスライド移動しなくなる。そこで、ラッチ装置６は、ばね６ａのばね力以上の力が洗浄槽２に加えられることでロックが解除されるようになっている。つまり、食器洗浄機１００の左方、右方または下方のいずれかに形成されるスペースに手を入れ、手係り凹部１４ａを握り、ばね６ａのばね力以上の力を洗浄槽２に加えれば、手動で洗浄槽２を引き出すことができるようになっているのである。したがって、食器洗浄機への通電が遮断される場合であっても、ラッチ装置６のロックを容易に解除することができ、洗浄槽２を手動で引き出すことができる。
【００３５】
すなわち、ラッチ装置６は、ばね６ａのばね力にて洗浄槽２を食器洗浄機本体１に係止しているが、このような機械的施錠手段は電気が遮断された場合や制御装置２３が暴走等した場合等でも、ばね６ａのばね力以上の力が加えられることでロックを解除できるようになっているのである。したがって、洗浄槽２を自動でスライド移動できなくなっても、ばね６ａのばね力以上の力を加えることでラッチ装置６のロックが解除されるため、操作パネル１４の側面に設けられた手係り凹部１４ａを介して洗浄槽２に力を加えることで、手動にて洗浄槽２を引き出すことができる。
【００３６】
以上のように、食器洗浄機１００への通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。なお、食器洗浄機本体１内の各部品の配設位置は、あくまでも一例であり、配設位置を特に限定するものではない。
【００３７】
図７は、実施の形態１に係る引き出し手係り部の他の一例を示す全体斜視図である。図７に基づいて、引き出し手係り部の他の一例である手係り凸部１４ｂについて説明する。図７に示すように、食器洗浄機１００には、引き出し手係り部である手係り凸部１４ｂが操作パネル１４の側面に形成されている。この手係り凸部１４ｂは、操作パネル１４の側面を構成する壁面の一部に凸部を設けることで形成されている。このような手係り凸部１４ｂを食器洗浄機１００に設けることで、洗浄槽２を引き出し易くしているのである。なお、手係り凸部１４ｂは、操作パネル１４に少なくとも１つの側面（上面及び下面も含むものとする）に形成してあればよく、設置数を特に限定するものではない。
【００３８】
このように、引き出し手係り部を手係り凸部１４ｂとしても、手係り凹部１４ａと同様に、食器洗浄機１００への通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。
【００３９】
図８は、実施の形態１に係る引き出し手係り部の更に他の一例を示す全体斜視図である。図８に基づいて、引き出し手係り部の更に他の一例である手係り握り部１４ｃについて説明する。図８（ａ）が手係り握り部１４ｃが折りたたまれている状態を、図８（ｂ）が手係り握り部１４ｃが引き起こされている状態をそれぞれ示している。図８（ａ）及び（ｂ）に示すように、食器洗浄機１００には、引き出し手係り部である手係り握り部１４ｃが操作パネル１４の側面に設けられている。この手係り握り部１４ｃは、操作パネル１４の側面を構成する壁面の一部に折りたたみ自在に形成されている。
【００４０】
つまり、洗浄槽２を手動で引き出す際に、ユーザは、折りたたまれている状態の手係り握り部１４ｃ（図８（ａ））をまず引き起こし（図８（ｂ））、そこに手を掛けて洗浄槽２を引き出せばよいのである。このような手係り握り部１４ｃを食器洗浄機１００に設けることで、洗浄槽２を引き出し易くしているのである。なお、手係り握り部１４ｃは、操作パネル１４に少なくとも１つの側面（上面及び下面も含むものとする）に形成してあればよく、設置数を特に限定するものではない。また、手係り握り部１４ｃの構成を特に限定するものではなく、折りたたむことができる構成であればよい。
【００４１】
このように、引き出し手係り部を手係り握り部１４ｃとしても、手係り凹部１４ａ及び手係り凸部１４ｂと同様に、食器洗浄機１００への通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。
【００４２】
実施の形態２.  
実施の形態１では引き出し手係り部を操作パネル１４の側面に形成した場合を例に説明したが、実施の形態２では引き出し手係り部を化粧パネル１３の側面に形成した場合を例に説明する。図９は、実施の形態２に係る引き出し手係り部の一例を示す全体斜視図である。図９に基づいて、引き出し手係り部の一例である手係り凹部１３ａについて説明する。なお、この実施の形態２では上述した実施の形態１との相違点を中心に説明するものとし、実施の形態１と同一部分には、同一符号を付して説明を省略するものとする。
【００４３】
図９に示すように、実施の形態２に係る食器洗浄機１００ａには、引き出し手係り部である手係り凹部１３ａが化粧パネル１３の側面に２つ形成されている。この手係り凹部１３ａは、化粧パネル１３の側面を構成する壁面の一部に凹部を設けることで形成されている。このような手係り凹部１３ａを食器洗浄機１００ａに設けることで、洗浄槽２を引き出し易くしているのである。なお、手係り凹部１３ａは、化粧パネル１３の少なくとも１つの側面（上面及び下面も含むものとする）に形成してあればよい。また、手係り凹部１３ａの設置数を特に限定するものではない。
【００４４】
このように、化粧パネル１３に引き出し手係り部である手係り凹部１３ａを形成しても、実施の形態１と同様に、食器洗浄機１００ａへの通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。
【００４５】
また、近年は、食器洗浄機１００ａがキッチンに組み込まれた状態において、意匠性を向上させる目的で隣接する引き出し２９やドア３４等と意匠が異なる操作パネル１４を小型薄型化する傾向にあり、これに伴い操作パネル１４に引き出し手係り部を設けるためのスペースが十分確保できない場合がある。このため、食器洗浄機１００ａでは、十分な握りスペースを確保するために、操作パネル１４ではなく、化粧パネル１３に引き出し手係り部を設けるようにしている。したがって、食器洗浄機１００ａは、食器洗浄機１００の有する効果に加えて、更に意匠性の向上を図ることができる。
【００４６】
図１０は、実施の形態２に係る引き出し手係り部の他の一例を示す全体斜視図である。図１０に基づいて、引き出し手係り部の他の一例である手係り凸部１３ｂについて説明する。図１０に示すように、食器洗浄機１００ａには、引き出し手係り部である手係り凸部１３ｂが化粧パネル１３の側面に形成されている。この手係り凸部１３ｂは、化粧パネル１３の側面を構成する壁面の一部に凸部を設けることで形成されている。このような手係り凸部１３ｂを食器洗浄機１００ａに設けることで、洗浄槽２を引き出し易くしているのである。なお、手係り凸部１３ｂは、化粧パネル１３の少なくとも１つの側面（上面及び下面も含むものとする）に形成してあればよい。また、手係り凸部１３ｂの設置数を特に限定するものではない。
【００４７】
このように、引き出し手係り部を手係り凸部１３ｂとしても、手係り凹部１３ａと同様に、食器洗浄機１００ａへの通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。加えて、意匠性の向上を図ることができる。
【００４８】
図１１は、実施の形態２に係る引き出し手係り部の更に他の一例を示す全体斜視図である。図１１に基づいて、引き出し手係り部の更に他の一例である手係り握り部１３ｃについて説明する。図１１（ａ）が手係り握り部１３ｃが折りたたまれている状態を、図１１（ｂ）が手係り握り部１３ｃが引き起こされている状態をそれぞれ示している。図１１（ａ）及び（ｂ）に示すように、食器洗浄機１００ａには、引き出し手係り部である手係り握り部１３ｃが化粧パネル１３の側面に形成されている。この手係り握り部１３ｃは、化粧パネル１３の側面を構成する壁面の一部に折りたたみ自在に形成されている。
【００４９】
つまり、洗浄槽２を手動で引き出す際に、ユーザは、折りたたまれている状態の手係り握り部１３ｃ（図１１（ａ））をまず引き起こし（図１１（ｂ））、そこに手を掛けて洗浄槽２を引き出せばよいのである。このような手係り握り部１３ｃを食器洗浄機１００ａに設けることで、洗浄槽２を引き出し易くしているのである。なお、手係り握り部１３ｃは、化粧パネル１３の少なくとも１つの側面（上面及び下面も含むものとする）に形成してあればよい。また、手係り握り部１３ｃの構成を特に限定するものではなく、折りたたむことができる構成であればよい。
【００５０】
このように、引き出し手係り部を手係り握り部１３ｃとしても、手係り凹部１３ａ及び手係り凸部１３ｂと同様に、食器洗浄機１００ａへの通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。加えて、意匠性の向上を図ることができる。
【００５１】
実施の形態３.  
実施の形態１では引き出し手係り部を操作パネル１４の側面に形成した場合を、実施の形態２では引き出し手係り部を化粧パネル１３の側面に形成した場合を例にそれぞれ説明したが、実施の形態３では引き出し手係り部を排気孔１７の形成部分に設けた場合を例に説明する。なお、この実施の形態３では上述した実施の形態１及び実施の形態２との相違点を中心に説明するものとし、実施の形態１及び実施の形態２と同一部分には、同一符号を付して説明を省略するものとする。
【００５２】
図１２は、実施の形態３に係る引き出し手係り部の一例を示す全体斜視図である。図１３は、排気孔１７の形成部分を拡大して側面から見た状態を示す縦断面図である。図１２及び図１３に基づいて、引き出し手係り部の一例である排気手係り部１７ａについて説明する。図１３に示すように、排気ダクト３１は、排気装置１８にて排気孔１７より洗浄槽２内の高温湿潤空気を排出させるために各々を連結させる機能を有している。また、排気ダクト３１は、排気孔１７からの洗浄ノズル９による洗浄水の噴射がラビリンス形状によるシール効果にて排気孔１７から飛び出さないよう防止する機能を有している。
【００５３】
実施の形態３に係る食器洗浄機１００ｂでは、排気ダクト３１の排気孔１７近傍の風路断面積を、排気孔１７の開口面積よりも大きくすることによって、排気孔１７の下側を構成する操作パネル１４の一部にユーザの手を引っ掛けることができる部分を形成し、この部分を引き出し手係り部である排気手係り部１７ａとして利用できるようにしている。なお、排気手係り部１７ａが排気孔１７の下側を構成する操作パネル１４の一部である場合を例に説明するが、これに限定するものではなく、排気孔１７の側面や上側を構成する操作パネル１４の一部を排気手係り部１７ａとしてもよい。
【００５４】
食器洗浄機１００ｂがキッチンに組み込まれた状態において、左方、右方または下方のいずれかは引き出し２９や調理器具３０が設けられている場合が多いが、稀にこれらがすべて塞がっている場合がある。このような場合では、食器洗浄機１００ｂの周辺にユーザの手が入るようなスペースを形成することができない。そこで、食器洗浄機１００ｂでは、操作パネル１４に形成されている排気孔１７を利用し、排気手係り部１７ａを形成することで、洗浄槽２を手動で引き出し易くしている。
【００５５】
このように、引き出し手係り部を排気手係り部１７ａとしても、実施の形態１及び実施の形態２と同様に、食器洗浄機１００ｂへの通電が遮断した場合や、開装置２０が故障した場合、制御装置２３が暴走した場合等が発生し、洗浄槽２を自動的にスライド移動できない異常時においても、特別な器具等を使用することなく容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。加えて、どのようなキッチンに組み込んだとしても、洗浄槽２を手動で容易に引き出すことができる。
【００５６】
実施の形態４.  
実施の形態１では引き出し手係り部を操作パネル１４の側面に形成した場合を、実施の形態２では引き出し手係り部を化粧パネル１３の側面に形成した場合を、実施の形態３では引き出し手係り部を排気孔１７の形成部分に設けた場合を例にそれぞれ説明したが、実施の形態４では引き出し手係り部を排気孔１７の形成部分に着脱自在とした場合を例に説明する。なお、この実施の形態４では上述した実施の形態１〜実施の形態３との相違点を中心に説明するものとし、実施の形態１〜実施の形態３と同一部分には、同一符号を付して説明を省略するものとする。
【００５７】
図１４は、実施の形態４に係る引き出し手係り部の一例を示す全体斜視図である。図１４に基づいて、引き出し手係り部の一例である着脱手係り部３２について説明する。図１４に示すように、操作パネル１４の排気孔１７には、洗浄槽２を手動にて引き出しするための引き出し手係り部である着脱手係り部３２を設けている。つまり、食器洗浄機１００ｃは、ユーザが手を引っかけることができるように構成された着脱手係り部３２が排気孔１７の形成部分に取り付けられているのである。なお、着脱手係り部３２は、排気孔１７の形成部分に着脱自在になっていればよく、特に形状や材質を限定するものではない。
【００５８】
このように、引き出し手係り部を着脱手係り部３２としても、実施の形態１〜実施の形態３と同様に、食器洗浄機１００ｃへの通電が遮断した場合や、開装置２０が故障した場合、制御装置２３が暴走した場合等が発生し、洗浄槽２を自動的にスライド移動できない異常時においても、特別な器具等を使用することなく、着脱手係り部３２を取り付けるだけで容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。加えて、どのようなキッチンに組み込んだとしても、洗浄槽２を手動で容易に引き出すことができる。
【００５９】
実施の形態５．
実施の形態１では引き出し手係り部を操作パネル１４の側面に形成した場合を、実施の形態２では引き出し手係り部を化粧パネル１３の側面に形成した場合を、実施の形態３では引き出し手係り部を排気孔１７の形成部分に設けた場合を、実施の形態４では引き出し手係り部を排気孔１７の形成部分に着脱自在とした場合を例にそれぞれ説明したが、実施の形態５では操作パネル１４の引き出し手係り部を略中央部に蝶着した場合を例に説明する。なお、この実施の形態５では上述した実施の形態１〜実施の形態４との相違点を中心に説明するものとし、実施の形態１〜実施の形態４と同一部分には、同一符号を付して説明を省略するものとする。
【００６０】
図１５は、実施の形態５に係る引き出し手係り部の一例を示す全体斜視図である。図１５に基づいて、引き出し手係り部の一例である蝶着手係り部３３について説明する。図１５（ａ）が蝶着手係り部３３が操作パネル１４に埋入されている状態を、図１５（ｂ）が蝶着手係り部３３が突出している状態をそれぞれ示している。図１５（ａ）及び（ｂ）に示すように、食器洗浄機１００ｄには、引き出し手係り部である蝶着手係り部３３が操作パネル１４の略中央部に設けられている。この蝶着手係り部３３は、未使用時に食器洗浄機本体１側に埋入し、使用時に食器洗浄機１００ｄの前方側に突出するように回動自在になっている。
【００６１】
このように、引き出し手係り部を蝶着手係り部３３としても、実施の形態１〜実施の形態４と同様に、食器洗浄機１００ｄへの通電が遮断した場合や、開装置２０が故障した場合、制御装置２３が暴走した場合等が発生し、洗浄槽２を自動的にスライド移動できない異常時においても、特別な器具等を使用することなく、蝶着手係り部３３を取り付けるだけで容易に洗浄槽２を手動にて引き出すことができる。つまり、洗浄槽２と食器洗浄機本体１とのロック状態に影響を受けず、特別な器具を使用することなく、かつ、ユーザ負担を増加させることなく、洗浄槽２を手動で容易に引き出すことができる。加えて、どのようなキッチンに組み込んだとしても、洗浄槽２を手動で容易に引き出すことができる。
【００６２】
図１５（ａ）に示すように、蝶着手係り部３３を使用しない時は、蝶着手係り部３３を操作パネル１４と同一平面にコンパクトに収納することができるので、食器洗浄機１００ｄの前方側が突出することがなく、食器洗浄機１００ｄの意匠性を損ねることがない。そして、蝶着手係り部３３を使用する時は、蝶着手係り部３３を回動させて、食器洗浄機１００ｄの前方側に突出させ、洗浄槽２を引き出すことができる。なお、蝶着手係り部３３を操作パネル１４の略中央部に設けた場合を例に示しているが、これに限定するものではなく、操作パネル１４の略中央部以外の場所や、化粧パネル１３に設けるようにしてもよい。また、蝶着手係り部３３は、回動自在になっていればよく、特に形状や材質を限定するものではない。
【図面の簡単な説明】
【００６３】
【図１】実施の形態１に係る食器洗浄機の断面構成を示す概略縦断面図である。
【図２】食器洗浄機を正面から見た状態を示す正面図である。
【図３】洗浄槽が食器洗浄機本体から引き出された状態の断面構成を示す概略縦断面図である。
【図４】開装置を説明するための説明図である。
【図５】食器洗浄機の設置状態の一例を示すシステムキッチンの斜視図である。
【図６】引き出し手係り部の一例を示す全体斜視図である。
【図７】引き出し手係り部の他の一例を示す全体斜視図である。
【図８】引き出し手係り部の更に他の一例を示す全体斜視図である。
【図９】実施の形態２に係る引き出し手係り部の一例を示す全体斜視図である。
【図１０】実施の形態２に係る引き出し手係り部の他の一例を示す全体斜視図である。
【図１１】実施の形態２に係る引き出し手係り部の更に他の一例を示す全体斜視図である。
【図１２】実施の形態３に係る引き出し手係り部の一例を示す全体斜視図である。
【図１３】排気孔の形成部分を拡大して側面から見た状態を示す縦断面図である。
【図１４】実施の形態４に係る引き出し手係り部の一例を示す全体斜視図である。
【図１５】実施の形態５に係る引き出し手係り部の一例を示す全体斜視図である。
【符号の説明】
【００６４】
１  食器洗浄機本体、２  洗浄槽、３  被洗浄物、５  レール、６  ラッチ装置、７  ヒータ、８  洗浄ポンプ、９  洗浄ノズル、１０  給水弁、１１  排水ポンプ、１２  内蓋、１３  化粧パネル、１３ａ  手係り凹部、１３ｂ  手係り凸部、１３ｃ  手係り握り部、１４  操作パネル、１４ａ  手係り凹部、１４ｂ  手係り凸部、１４ｃ  手係り握り部、１５  操作部、１７  排気孔、１７ａ  排気手係り部、１８  排気装置、１９  下カバー、２０  開装置、２１  ＯＰＥＮスイッチ、２２  スタート／一時停止スイッチ、２３  制御装置、２４  スライドシャフト、２４ａ  ラック部、２５  飛び出し位置検出装置、２６  モータ、２６ａ  ピニオン部、２７  保持部、２８  スタンバイ位置検出装置、２９  引き出し、３０  調理器具、３１  排気ダクト、３２  着脱手係り部、３３  蝶着手係り部、３４  ドア、３５  電源スイッチ、５１  排水管、５２  排水口、５５  本体部、１００  食器洗浄機、１００ａ  食器洗浄機、１００ｂ  食器洗浄機、１００ｃ  食器洗浄機、１００ｄ  食器洗浄機、１５０  システムキッチン。
【図１】
0004958728.tif 000002
【図２】
0004958728.tif 000003
【図３】
0004958728.tif 000004
【図４】
0004958728.tif 000005
【図５】
0004958728.tif 000006
【図６】
0004958728.tif 000007
【図７】
0004958728.tif 000008
【図８】
0004958728.tif 000009
【図９】
0004958728.tif 000010
【図１０】
0004958728.tif 000011
【図１１】
0004958728.tif 000012
【図１２】
0004958728.tif 000013
【図１３】
0004958728.tif 000014
【図１４】
0004958728.tif 000015
【図１５】
0004958728.tif 000016